(57)【要約】【課題】簡易な構成により、アンテナの最適な電波の受信方向を探し出すことができるＯＦＤＭ受信装置の提供。【解決手段】アンテナ１の第１〜第４の各受信方向ごとに、ＯＦＤＭ信号の受信強度に応じた電圧Ｖ１〜Ｖ４を検出するとともに、ＯＦＤＭ信号のロングシーケンス部をＦＦＴ演算して得られる各キャリアの電力スペクトルを求める（Ｓ１、Ｓ２）。検出電圧Ｖ１〜Ｖ４と基準電圧ＶＲとの比較判断を行い（Ｓ３）、その判断の結果に応じた処理を行う。例えば、「検出電圧Ｖ１〜Ｖ４が全て基準電圧ＶＲを上回る」と判断された場合には、第１〜第４の各受信方向ごとに、上記の電力スペクトルの分散σ１〜σ４をそれぞれ求める（Ｓ４）。その求めた分散σ１〜σ４のうち、最小値の分散に対応する方向を、アンテナ１の電波の受信状態が最適な方向としてメモリ１２に記憶する（Ｓ５）。【選択図】  図２
2004228683.tif 000002
【特許請求の範囲】
【請求項１】
プリアンブル部とデータ部を含むＯＦＤＭ信号をアンテナで受信し、この受信したＯＦＤＭ信号をＦＦＴ演算して復調するＯＦＤＭ受信装置において、
前記アンテナで前記ＯＦＤＭ信号を受信し、その受信したＯＦＤＭ信号に含まれるプリアンブル部のＦＦＴ演算を行い、そのＦＦＴ演算結果に基づいて前記プリアンブル部の各キャリアごとの電力スペクトルを求めるスペクトル算出手段と、
前記スペクトル算出手段で求めた前記電力スペクトルの分布状態を求め、この求めた電力スペクトルの分布状態に基づいて前記アンテナの最適な電波の受信方向を探す受信方向探索手段と、
を備えたことを特徴とするＯＦＤＭ受信装置。
【請求項２】
前記スペクトル算出手段は、
前記アンテナの電波の受信方向を複数方向に変化させるときには、前記ＯＦＤＭ信号のプリアンブル部の各キャリアごとの各電力スペクトルを、前記アンテナの各受信方向ごとに求めるようにしたことを特徴とする請求項１に記載のＯＦＤＭ受信装置。
【請求項３】
前記受信方向探索手段は、
前記スペクトル算出手段が前記アンテナの電波の各受信方向ごとに求めた前記各キャリアごとの電力スペクトルに基づいて、前記アンテナの各受信方向ごとの前記電力スペクトルの分散をそれぞれ求めるとともに、
前記スペクトル算出手段が前記アンテナの各受信方向ごとに求めた前記各キャリアごとの電力スペクトルの全部、およびその電力スペクトルのうちの一部に基づいて、前記アンテナの各受信方向ごとのＳ／Ｎ比を推定し、
前記求めた電力スペクトルの各分散と前記推定した各Ｓ／Ｎ比とに基づいて前記アンテナの最適な受信方向を決定することを特徴とする請求項２に記載のＯＦＤＭ受信装置。
【請求項４】
前記受信方向探索手段は、
前記アンテナの電波の受信方向を複数方向に変化させるときには、その受信したＯＦＤＭ信号のレベルを、前記アンテナの各受信方向ごとに検出するレベル検出手段と、
前記レベル検出手段の各検出レベルを所定値と比較し、前記各検出レベルが全て前記所定値以上の場合には第１の信号を出力し、前記各検出レベルが全て前記所定値以下の場合には第２の信号を出力し、前記各検出レベルが前記所定値以上の場合と前記所定値以下の場合が混在する場合には第３の信号を出力する比較手段と、
前記第１の信号の出力があった場合に、前記前記スペクトル算出手段が前記アンテナの各受信方向ごとに求めた前記各キャリアごとの電力スペクトルに基づいて、前記アンテナの各受信方向ごとの前記電力スペクトルの分散をそれぞれ求め、この求めた分散のうちの最小のものに対応するアンテナの電波の受信方向を最適方向と決定する第１の決定手段と、
前記第２の信号の出力があった場合に、前記スペクトル算出手段が前記アンテナの各受信方向ごとに求めた前記各キャリアごとの電力スペクトルの全部、およびその電力スペクトルのうちの一部に基づいて、前記アンテナの各受信方向ごとのＳ／Ｎ比を推定し、この推定したＳ／Ｎ比が最大のものに対応するアンテナの電波の受信方向を最適方向と決定する第２の決定手段と、
前記第３の信号の出力があった場合に、前記スペクトル算出手段が前記アンテナの各受信方向ごとに求めた前記各キャリアごとの電力スペクトルに基づいて、前記レベル検出手段の各検出レベルが所定値以上の場合の前記電力スペクトルの分散を求め、この求めた分散のうちの最小のものに対応するアンテナの電波の受信方向を最適方向と決定する第３の決定手段と、
を備えたことを特徴とする請求項２に記載のＯＦＤＭ受信装置。
【請求項５】
前記ＯＦＤＭ信号はＩＥＥＥ８０２．１１ａで定義される信号であり、前記プリンブル部は前記ＩＥＥＥ８０２．１１ａで定義されるＰＬＣＰプリアンブル部に含まれるロングシーケンス部であることを特徴とする請求項１乃至請求項４のうちのいずかに記載のＯＦＤＭ受信装置。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：  直交周波数分割多重）受信装置、例えば、ＩＥＥＥ８０２．１１ａで定義されているＯＦＤＭ信号などを受信できるＯＦＤＭ受信装置に関するものである。
【０００２】
【従来の技術】
ＯＦＤＭ通信方式は、信号をいくつかのサブキャリアに分割して周波数軸上でパラレルに伝送するマルチキャリア通信方式の１つであり、特に、直交関数系を用いてキャリアの間隔を最小にし、所要帯域幅をシングルキャリア程度にすることが可能とされている。
【０００３】
このようなＯＦＤＭ通信方式の受信装置では、信号検出回路（ＲＳＳＩ）により受信したＯＦＤＭ信号のレベルを検出し、この検出レベルに応じた直流電圧を生成し、この生成電圧に基づいてアンテナの最適な電波の受信方向を探すようにするものが知られている。
しかし、妨害波が強い場合には、希望の信号か妨害波（例えば隣のチャネルやイメージ周波数）か区別できず、アンテナの最適な電波の受信方向を探すことができない。
【０００４】
また、マルチパス波の受信の際には、アンテナの指向性でマルチパス波の強弱が変わるため、受信電力をモニタしている場合には、そのマルチパス波の影響を把握することができず、アンテナの最適な電波の受信方向を探すことができない。
ところで、ＯＦＤＭ通信方式では、周波数選択性フェージングの影響が問題として挙げられ、この問題に対応するために、サブバンド分割型空間ダイバーシチ方式が提案されている。
【０００５】
そこで、このサブバンド分割型空間ダイバーシチを採用したＯＦＤＭ通信方式のダイバーシチ受信装置が知られている（例えば、特許文献１参照）。
この受信装置は、ＯＦＤＭ信号を受信する複数のアンテナ、この複数の各アンテナと接続する複数の受信部、および複数の受信部の出力を切り替えるブランチ選択回路などを備えている。
【０００６】
また、この受信装置は、複数の受信部がそれぞれＡＧＣ回路を有し、この各ＡＧＣ回路により各受信信号強度情報（ＲＳＳＩ）を得られ、ブランチ選択回路は、その各受信信号強度情報に基づいて、受信部の出力を選択するようにしている。これにより、受信装置はアンテナの最適な電波の受信方向を見つけ出すことができ、周波数選択性フェージングの影響を排除することができる。
【０００７】
【特許文献１】
特開２０００−２２４１３９号公報（図１参照）
【０００８】
【発明が解決しようとする課題】
しかし、特許文献１に記載の受信装置では、複数のアンテナが必要になる上に、複数の受信部が必要となり、装置の規模が大きくなる上に、全体の構成が複雑化するという不都合がある。
そこで、本発明の目的は、簡易な構成により、アンテナの最適な電波の受信方向を探し出すことができるＯＦＤＭ受信装置を提供することにある。
【０００９】
【課題を解決するための手段】
上記の課題を解決し本発明の目的を達成するために、本発明者らは鋭意研究を重ねた結果、以下の点に着目して本発明を完成させた。そこで、以下にその点について述べる。
すなわち、例えば、無線ＬＡＮ装置に使用されるＩＥＥＥ８０２．１１ａで定義されているＯＦＤＭ信号のフォーマットは、図５に示す通りである。
【００１０】
この信号フォーマットは、図５に示すように、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）  プリアンブル部２１、シグナル（ＳＩＧＮＡＬ）部２２、およびデータ（ＤＡＴＡ）部２３に大別される。
ＰＬＣＰプリアンブル部２１は、ショートシーケンス部２１ａとロングシーケンス部２１ｂとからなり、全体で１２シンボルの長さがある。ショートシーケンス部２１ａは、ＯＦＤＭ復調の際に各種の同期や入力レベルの最適化のために使用されている。
【００１１】
また、ロングシーケンス部２１ｂは、伝送歪を算出するために使用されている。ロングシーケンス部２１ｂで算出された伝送歪に基づき、シグナル部２２以降の波形を補正するようにしている。
伝送歪は、受信したＯＦＤＭ信号のうちからロングシーケンス２１ｂの部分をフーリエ変換し、このフーリエ変換して求めた値を既知のロングシーケンスの値で割ることにより求めることができる。このようにして求めた伝送歪の値Ｈは、次の（１）式に示すような数列となる。
【００１２】
Ｈ＝（Ｃ−２６，Ｃ−２５  ・・・・Ｃ２５，  Ｃ２６）  ・・・・（１）
（１）式において各項は複素数であり、Ｃの添え字はキャリア（搬送波）の番号を表す。
ここで、各複素数の絶対値の数列を考えた場合に、伝送歪の値｜Ｈ｜は次の（２）式となる。
【００１３】
【数１】
2004228683.tif 000003
【００１４】
ここで、伝送歪が大きい場合（マルチパス波の影響が大きいまたは妨害波がある場合）には、各項の値はばらつく。但し、直接波が強い場合（マルチパス波の影響が強い場合（マルチパス波の影響が少ない場合）、または妨害波が無い場合は各項の値は同じになるという性質がある。
そこで、本発明は、上記の点に着目し、ＯＦＤＭ信号を構成するプリアンブル部のスペクトルの分布状態を求め、この求めた分布状態に基づいてアンテナの最適な受信方向を探すようにしたものであり、以下のように構成される。
【００１５】
第１の発明は、プリアンブル部とデータ部を含むＯＦＤＭ信号をアンテナで受信し、この受信したＯＦＤＭ信号をＦＦＴ演算して復調するＯＦＤＭ受信装置において、前記アンテナで前記ＯＦＤＭ信号を受信し、その受信したＯＦＤＭ信号に含まれるプリアンブル部のＦＦＴ演算を行い、そのＦＦＴ演算結果に基づいて前記プリアンブル部の各キャリアごとの電力スペクトルを求めるスペクトル算出手段と、前記スペクトル算出手段で求めた前記電力スペクトルの分布状態を求め、この求めた電力スペクトルの分布状態に基づいて前記アンテナの最適な電波の受信方向を探す受信方向探索手段と、を備えたことを特徴とするものである。
【００１６】
第２の発明は、第１の発明のＯＦＤＭ受信装置において、前記スペクトル算出手段は、前記アンテナの電波の受信方向を複数方向に変化させるときには、前記ＯＦＤＭ信号のプリアンブル部の各キャリアごとの各電力スペクトルを、前記アンテナの各受信方向ごとに求めるようにしたことを特徴とするものである。
第３の発明は、第２の発明のＯＦＤＭ受信装置において、前記受信方向探索手段は、前記スペクトル算出手段が前記アンテナの電波の各受信方向ごとに求めた前記各キャリアごとの電力スペクトルに基づいて、前記アンテナの各受信方向ごとの前記電力スペクトルの分散をそれぞれ求めるとともに、前記スペクトル算出手段が前記アンテナの各受信方向ごとに求めた前記各キャリアごとの電力スペクトルの全部、およびその電力スペクトルのうちの一部に基づいて、前記アンテナの各受信方向ごとのＳ／Ｎ比を推定し、前記求めた電力スペクトルの各分散と前記推定した各Ｓ／Ｎ比とに基づいて前記アンテナの最適な受信方向を決定することを特徴とするものである。
【００１７】
第４の発明は、第２の発明のＯＦＤＭ受信装置において、前記受信方向探索手段は、前記アンテナの電波の受信方向を複数方向に変化させるときには、その受信したＯＦＤＭ信号のレベルを、前記アンテナの各受信方向ごとに検出するレベル検出手段と、前記レベル検出手段の各検出レベルを所定値と比較し、前記各検出レベルが全て前記所定値以上の場合には第１の信号を出力し、前記各検出レベルが全て前記所定値以下の場合には第２の信号を出力し、前記各検出レベルが前記所定値以上の場合と前記所定値以下の場合が混在する場合には第３の信号を出力する比較手段と、前記第１の信号の出力があった場合に、前記前記スペクトル算出手段が前記アンテナの各受信方向ごとに求めた前記各キャリアごとの電力スペクトルに基づいて、前記アンテナの各受信方向ごとの前記電力スペクトルの分散をそれぞれ求め、この求めた分散のうちの最小のものに対応するアンテナの電波の受信方向を最適方向と決定する第１の決定手段と、前記第２の信号の出力があった場合に、前記スペクトル算出手段が前記アンテナの各受信方向ごとに求めた前記各キャリアごとの電力スペクトルの全部、およびその電力スペクトルのうちの一部に基づいて、前記アンテナの各受信方向ごとのＳ／Ｎ比を推定し、この推定したＳ／Ｎ比が最大のものに対応するアンテナの電波の受信方向を最適方向と決定する第２の決定手段と、前記第３の信号の出力があった場合に、前記スペクトル算出手段が前記アンテナの各受信方向ごとに求めた前記各キャリアごとの電力スペクトルに基づいて、前記レベル検出手段の各検出レベルが所定値以上の場合の前記電力スペクトルの分散を求め、この求めた分散のうちの最小のものに対応するアンテナの電波の受信方向を最適方向と決定する第３の決定手段と、
を備えたことを特徴とするものである。
【００１８】
第５の発明は、第１乃至第４の発明のうちのいずれかのＯＦＤＭ受信装置において、前記ＯＦＤＭ信号はＩＥＥＥ８０２．１１ａで定義される信号であり、前記プリンブル部は前記ＩＥＥＥ８０２．１１ａで定義されるＰＬＣＰプリアンブル部に含まれるロングシーケンス部であることを特徴とするものである。
このような構成からなる本発明によれば、既存の回路に複雑な回路を追加すること無しに、既存のＯＦＤＭ信号のフォーマットを使用し、アンテナの最適な電波の受信方向を探すことができる。
【００１９】
【発明の実施の形態】
以下、本発明の実施の形態について図面を参照して説明する。
図１は、本発明のＯＦＤＭ受信装置の実施形態の構成例を示すブロック図である。
この実施形態に係るＯＦＤＭ受信装置は、図１に示すように、アンテナ１と、高周波増幅回路２と、可変利得増幅回路３と、Ａ／Ｄコンバータ（ＡＤＣ）４と、ＦＦＴ回路５と、復調回路６と、レベル検出回路７と、Ａ／Ｄコンバータ８と、Ｄ／Ａコンバータ９と、方位センサ１０と、制御処理回路１１と、メモリ１２と、表示器１３とを備えている。
【００２０】
アンテナ１は、ＯＦＤＭ信号を受信し、この受信信号が高周波増幅回路２に供給されるようになっている。
ここで、ＯＦＤＭ信号は、例えば図５に示すようなフォーマットからなり、ＰＬＣＰプリアンブル部２１と、データ部２３を含んでいる。ＰＬＣＰプリアンブル部２１は、送信側で付加する既知の信号であって、ショートシーケンス部２１ａとロングシーケンス部２１ｂとからなる。
【００２１】
高周波増幅回路２は、アンテナ１からの受信信号を増幅し、この増幅した信号を可変利得増幅回路３に供給する回路である。可変利得増幅回路３は、高周波増幅回路２からの出力信号を増幅してＡ／Ｄコンバータ４に供給するとともに、その利得がＤ／Ａコンバータ９からの利得制御電圧により可変自在な回路である。Ａ／Ｄコンバータ４は、可変利得増幅回路３の出力信号をＡ／Ｄ変換し、このＡ／Ｄ変換されたデジタル信号をＦＦＴ回路５に供給するものである。
【００２２】
ＦＦＴ回路５は、Ａ／Ｄコンバータ４の出力をＦＦＴ（Ｆａｓｔ  Ｆｏｕｒｉｅｒ  Ｔｒａｎｓｆｏｒｍ）  演算し、この演算結果によりＯＦＤＭ信号の各キャリア（搬送波）ごとの振幅、位相をそれぞれ求め、各サブキャリアごとの変調信号に変換する回路である。このＦＦＴ回路５で求められたＯＦＤＭ信号の各キャリアごとの振幅情報は、制御処理回路１１に供給されるようになっている。
【００２３】
復調回路６は、ＦＦＴ回路５の出力に基づいてデータを復調する回路であり、その復調データが出力されるようになっている。レベル検出回路７は、高周波増幅回路２の出力信号のレベルを検出し、この検出レベルに応じた直流電圧を生成し、この生成電圧をＡ／Ｄコンバータ８に出力する回路である。
Ａ／Ｄコンバータ８は、レベル検出回路７の出力電圧をＡ／Ｄ変換し、このＡ／Ｄ変換させたデジタル信号を制御処理回路１１に供給するものである。方位センサ１０は、後述の受信方向探知処理の際に、そのアンテナ１の電波の受信方向の方位を求めるセンサである。
【００２４】
制御処理回路１１は、レベル検出回路７の出力をＡ／Ｄコンバータ８でＡ／Ｄ変換させたデジタル信号に基づいて可変利得制御回路３の利得制御電圧を生成し、この利得制御電圧をＤ／Ａコンバータ９を介して可変利得制御回路３に供給するようになっている。
また、制御処理回路１１は、レベル検出回路７の出力をＡ／Ｄコンバータ８でＡ／Ｄ変換させたデジタル信号、ＦＦＴ回路５からの所定の出力などに基づいて後述のような演算処理（受信方向探索処理）などを行う回路である。
【００２５】
なお、この制御処理回路１１は、例えばマイクロコンピュータなどで構成され、各種のデータが記憶できるメモリ１２を備えている。
表示器１３は、後述の受信方向探索処理の結果などの各種の表示をするものであり、例えば液晶表示器などからなる。
次に、このような構成からなる実施形態に係るＯＦＤＭ受信装置の動作例について、図１〜図４を参照して説明する。
【００２６】
まず、ＯＦＤＭ信号の通常の受信動作について、図１を参照して説明する。
アンテナ１がＯＦＤＭ信号を受信すると、この受信信号は高周波増幅回路２および可変利得増幅回路３でそれぞれ増幅され、Ａ／Ｄコンバータ４でデジタル信号にＡ／Ｄ変換され、このデジタル信号がＦＦＴ回路５に供給される。
ここで、アンテナ１で受信されるＯＦＤＭ信号は、例えば図５に示すようにフォーマットからなる。
【００２７】
ＦＦＴ回路５は、Ａ／Ｄコンバータ４からのデジタル信号のＦＦＴ演算を行い、この演算結果に基づいてＯＦＤＭ信号の各サブキャリアごとの変調信号に変換され、その変換された変調信号が復調回路６で復調される。
一方、これらの動作に並行して、レベル検出回路７では、高周波増幅回路２の出力信号のレベルが検出され、この検出レベルに応じた直流電圧が生成出力される。その生成出力電圧は、Ａ／Ｄコンバータ８でＡ／Ｄ変換されて制御処理回路１１に供給される。
【００２８】
制御処理回路１１は、その供給された生成電圧に基づいて可変利得増幅回路３に供給すべき利得制御電圧を求め、この求めた利得制御電圧はＤ／Ａコンバータ９でＤ／Ａ変換されて可変利得増幅回路３に供給される。
これにより、受信電波の受信レベルに変動があっても可変利得増幅回路３の出力のレベルが一定となって、安定した受信動作を行うことができる。
【００２９】
次に、この実施形態における受信方向探知処理の動作について、図２を参照して説明する。
この実施形態では、上記のようにして通常の受信動作を行うが、この通常の受信動作に先立って、あるいは必要に応じてＯＦＤＭ信号をアンテナ１で受信することにより、制御処理回路１１がアンテナ１の電波の受信方法の最適な方向を探知する処理を行うのが、受信方向探知処理である。
【００３０】
ここで、上記の受信方向探知処理は、例えば入力部（図示せず）に設けた専用のボタンの押下により、開始できるようになっている。
まず、使用者が、アンテナ１を例えば第１〜第４の方向に順次向け、その第１〜第４の各受信方向ごとにアンテナ１で到来電波（ＯＦＤＭ信号）を受信する。このとき、その第１〜第４の各受信方向ごとに、方位センサ１０は、その方向のアンテナ１の方位（方向）を求め、この求めた各方位は制御処理回路１１を介してメモリ１２に記憶される。
【００３１】
また、このときには、その第１〜第４の各受信方向ごとに、レベル検出回路７は、高周波増幅回路２の出力信号（受信電波の信号）の大きさを検出し、この各検出レベルに応じた直流の検出電圧Ｖ１〜Ｖ４を生成出力する。この各検出電圧Ｖ１〜Ｖ４は、Ａ／Ｄコンバータ８でＡ／Ｄ変換されて制御処理回路１１に入力されてメモリ１２に記憶される（ステップＳ１）。
【００３２】
さらに、このときには、ＦＦＴ回路５は、その第１〜第４の各受信方向ごとにアンテナ１が受信した各ＯＦＤＭ信号に基づき、ＦＦＴ（Ｆａｓｔ  Ｆｏｕｒｉｅｒ  Ｔｒａｎｓｆｏｒｍ）  演算を行い、この演算結果によりＯＦＤＭ信号の各キャリアごとに振幅値、位相値をそれぞれ求め、この求めた各キャリアごとの振幅値が制御処理回路１１に供給される。
【００３３】
そこで、制御処理回路１１は、その供給されたＯＦＤＭ信号の各キャリアごとの振幅値のうち、図５に示すロングシーケンス部２１ｂをＦＦＴ演算して得られた各キャリアの振幅値を用いて、アンテナ１の第１〜第４の各受信方向ごとの各キャリアの電力スペクトル値を求め、この求めた各電力スペクトル値をメモリ１２に記憶する（ステップＳ２）。
【００３４】
これにより、アンテナ１の第１〜第４の各受信方向ごとに、ロングシーケンス部２１ｂをＦＦＴ演算して得られる各キャリアの電力スペクトルの分布状態が得られ、この一例を示すと、例えば図３および図４に示すようになる。
図３は、マルチパスフェージングが比較的小さい場合、または妨害波が比較的小さい場合である。図４は、マルチパスが大きな場合、または妨害波が比較的大きな場合である。
【００３５】
なお、図３および図４において、実線部分はデータの復調に必要な部分であり、点線部分はデータの復調に不要な部分である。
次に、制御処理回路１１は、その検出電圧Ｖ１〜Ｖ４と基準電圧ＶＲとの比較判断を行う（ステップＳ３）。すなわち、「検出電圧Ｖ１〜Ｖ４が全て基準電圧ＶＲを上回る」、「検出電圧Ｖ１〜Ｖ４が全て基準電圧ＶＲを下回る」、または「検出電圧Ｖ１〜Ｖ４が基準電圧ＶＲ上回るものと下回るものとが混在する」のいずれに該当するかの判断を行う。
【００３６】
この結果、「検出電圧Ｖ１〜Ｖ４が全て基準電圧ＶＲを上回る」と判断された場合には、受信電波中のノイズレベルが小さいと考えられるので、ステップＳ４に進む。一方、「検出電圧Ｖ１〜Ｖ４が全て基準電圧ＶＲを下回る」と判断された場合には、受信電波中のノイズレベルが大きいと考えられるので、ステップＳ６に進む。さらに、「検出電圧Ｖ１〜Ｖ４が基準電圧ＶＲ上回るものと下回るものが混在する」と判断された場合には、ステップＳ９に進む。
【００３７】
ステップＳ４では、第１〜第４の方向ごとのロングシーケンス部の各キャリアの電力スペクトルの分布状態を定量的に把握するために、第１〜第４の各受信方向ごとに、その電力スペクトルの分散σ１〜σ４をそれぞれ求める。このときには、図３または図４に示すような点線部分のスペクトルデータは使用しない。
次に、その求めた分散σ１〜σ４のうち、最小値の分散に対応する受信方向を、アンテナ１の受信状態が最適な方向としてメモリ１２に記憶する（ステップＳ５）。例えば、分散σ１〜σ４のうち分散σ１が最小値の場合には、その分散σ１に対応する第１の方向をメモリ１２に記憶する。
【００３８】
ここで、求めた分散の値のうち最小値をメモリ１２に記憶するのは、その最小値に対応する方向からの到来電波は、妨害電波が少なく、またはマルチパスの影響が小さいからである。
一方、ステップＳ６では、図３または図４に示すような実線と点線の部分の双方の電力スペクトル値を使用した全体の電力を求めるとともに、点線部分の電力スペクトル値を使用して雑音電力（ノイズ電力）を求め、これら両電力を求める計算を、第１〜第４の各受信方向ごとに行う（Ｓ７）。さらに、その計算した両電力に基づき、ＯＦＤＭ信号のＳ／Ｎ比を、第１〜第４の各受信方向ごとにそれぞれ算出（推定）する（ステップＳ８）。
【００３９】
次のステップＳ９では、その計算したＳ／Ｎ比のうち、その値が最大値のＳ／Ｎ比に対応するアンテナ１の方向を、最適な電波の受信方向としてメモリ１２に記憶する。
さらに、ステップＳ９では、ステップＳ４の処理のように、ロングシーケンス部の電力スペクトルの分散を求める。しかし、このときには、その電力スペクトルの分散は、第１〜第４の各受信方向のうち、検出電圧Ｖ１〜Ｖ４が基準電圧ＶＲを上回る受信方向についてのみ求める。
【００４０】
次のステップＳ１０では、その求めた分散のうち、その値が最小値の分散に対応するアンテナ１の方向を、最適な電波の受信方向としてメモリ１２に記憶させる。
ここで、上記のようにメモリ１２に記憶されるアンテナ１の最適な電波の受信方向は、表示器１３に表示される。これにより、使用者は、その方向にアンテナ１を向けて受信装置を使用することができる。
【００４１】
以上説明したように、この実施形態によれば、既存の回路に複雑な回路を追加すること無しに、既存のＯＦＤＭ信号のフォーマットを使用し、アンテナの最適な電波の受信方向を探すことができる。
なお、上記の実施形態では、方位センサ１０を設け、これによりアンテナ１の第１〜第４の方向（方位）を求め、この求めた方位を使用するようにした。しかし、本発明は、必ずしも方位センサ１０を必要としない。
【００４２】
すなわち、制御処理回路１１と接続する入力部（図示せず）を設けておき、使用者がアンテナ１を第１〜第４の各受信方向に向けるたびに、その方向を使用者が入力部から入力するようにすれば、その方向を制御処理回路１１が認識することができる。
そこで、制御処理回路１１は、その入力された方向を使用することにより、上記のような手順によりアンテナ１の最適な電波の受信方向を決定でき、この決定した方向を表示器１３に表示すれば、使用者は、その方向にアンテナ１を向けて受信装置を使用できる。
【００４３】
また、上記の実施形態では、アンテナ１の第１〜第４の各受信方向ごとに、ロングシーケンス部２１ｂをＦＦＴ演算して得られる各キャリアの電力スペクトル（図３および図４参照）を求め、これを使用してアンテナ１の最適な電波の受信方向を求めるようにした。しかし、これに代えて、その各キャリアの振幅スペクトルを使用して、アンテナ１の最適な電波の受信方向を求めるようにしても良い。
【００４４】
【発明の効果】
以上説明したように、本発明によれば、既存の回路に複雑な回路を追加すること無しに、既存のＯＦＤＭ信号のフォーマットを使用し、アンテナの最適な電波の受信方向を探すことができる。
【図面の簡単な説明】
【図１】本発明の実施形態の構成を示すブロック図である。
【図２】この実施形態における受信方向探知処理の動作例を説明するフローチャートである。
【図３】ロングシーケンス部をＦＦＴ演算して得られる各キャリアの電力スペクトルの分布状態を示す図である。
【図４】その電力スペクトルの分布状態の他の例を示す図である。
【図５】ＯＦＤＭ信号のフォーマットの一例を示す図である。
【符号の説明】
１はアンテナ１、２は高周波増幅回路、３は可変利得増幅回路、４はＡ／Ｄコンバータ（ＡＤＣ）、５はＦＦＴ回路、６は復調回路、７はレベル検出回路、８はＡ／Ｄコンバータ８、９はＤ／Ａコンバータ９、１０は方位センサ、１１は制御処理回路、１２はメモリ１２、１３は表示器である。
【図１】
2004228683.tif 000004
【図２】
2004228683.tif 000005
【図３】
2004228683.tif 000006
【図４】
2004228683.tif 000007
【図５】
2004228683.tif 000008